(57)【要約】【課題】受信装置の種類に依存することなく、受信装置が起動中である場合に受け付けた操作信号により制御させることができる。【解決手段】操作信号を記憶する操作信号記憶手段１４ａと、電源投入信号を受信したときからの経過時間を計測し、この計測した経過時間が予め定めた待機時間に達したか否かを判定する経過時間判定手段１３と、電源投入信号を受信したときから経過時間判定手段１３により待機時間に達したと判定されたときまでの間に受信した操作信号を操作信号記憶手段１４ａに順次記憶させる操作信号蓄積制御手段１２ａと、経過時間判定手段１３により待機時間に達したと判定された後、操作信号記憶手段１４ａに記憶された操作信号を読み込み、受信装置２に順次送信する信号制御手段１２ｂとを備える。【選択図】    図１
2008245059.tif 000002
【特許請求の範囲】
【請求項１】
外部からの操作を受けて、受信装置に電源を投入させるための電源投入信号と前記受信装置を制御するための操作信号を生成し、この生成した前記電源投入信号及び前記操作信号を受信装置に送信するリモートコントロール装置であって、
前記操作信号を記憶する操作信号記憶手段と、
前記電源投入信号を送信したときからの経過時間を計測し、この計測した経過時間が予め定めた待機時間に達したか否かを判定する経過時間判定手段と、
前記電源投入信号を送信したときから前記経過時間判定手段により前記待機時間に達したと判定されたときまでの間に、外部からの操作を受けて生成された前記操作信号を前記操作信号記憶手段に順次記憶させる操作信号蓄積制御手段と、
前記経過時間判定手段により前記待機時間に達したと判定された後、前記操作信号記憶手段に記憶された操作信号を読み込み、前記受信装置に順次送信する信号制御手段と
を備えることを特徴とするリモートコントロール装置。
【請求項２】
前記経過時間判定手段は、
外部から前記待機時間の設定操作を受けたら、この設定された待機時間を記憶し、この記憶した待機時間を用いて前記判定を行う
ことを特徴とする請求項１に記載のリモートコントロール装置。
【発明の詳細な説明】
【技術分野】
【０００１】
本発明は、起動待ちする受信装置に信号を送信するリモートコントロール装置に関する。
【背景技術】
【０００２】
一般的に、起動待ちする受信装置は、リモートコントロール装置からの電源投入信号を受信すると、電源を投入し、起動処理を実行する。
【０００３】
例えば、デジタル放送受信装置では、デジタル放送受信装置を制御するリモートコントロール装置から電源投入信号を受信すると、起動処理としてアンテナを介して受信する放送信号から番組表示に必要となる番組情報等を取得し、取得した情報を基に番組を表示する。そのため、デジタル放送受信装置は、リモートコントロール装置からの電源投入信号を受信してから番組を表示するまで数秒から十数秒程度の時間を要する。この間はリモートコントロール装置からの番組選局コマンド等の操作信号を受け付けることができなかった。
【０００４】
そのため、デジタル放送受信装置の利用者は、リモートコントロール装置から電源投入のための操作を行ってから数秒から十数秒程度が経過した後、番組選局等のための操作を行う必要があった。これは利用者にとって、多大なストレスになっていた。
【０００５】
そこで、例えば、特許文献１には、利用者の操作によって押下されたキーに対応するリモートコントロール制御信号がリモートコントロール装置によって繰り返し送られてきた場合に、これを受信してバッファに保存しておき、１回だけ主制御装置であるＣＰＵに通知するリモコン受信制御装置が提案されている。
【特許文献１】特開平１１−５３０９１号公報
【発明の開示】
【発明が解決しようとする課題】
【０００６】
しかしながら、特許文献１に記載のリモコン受信制御装置では、受信した操作信号をバッファに記憶し、記憶した操作信号をＣＰＵに通知する。そのため、操作信号を記憶しているリモコン受信制御装置が交換されると、その機能を利用できなくなり、交換された受信装置は起動中に操作信号を受け付けることができなくなるという問題があった。
【０００７】
本発明は、上記問題に鑑みてなされたものであり、受信装置の種類に依存することなく、受信装置が起動中である場合に受け付けた操作信号により制御させることができるリモートコントロール装置を提供することを目的とする。
【課題を解決するための手段】
【０００８】
上記目的を解決するため、本発明に係るリモートコントロール装置の第１の特徴は、操作信号を記憶する操作信号記憶手段と、電源投入信号を送信したときからの経過時間を計測し、この計測した経過時間が予め定めた待機時間に達したか否かを判定する経過時間判定手段と、電源投入信号を送信したときから経過時間判定手段により待機時間に達したと判定されたときまでの間に、外部からの操作を受けて生成された操作信号を前記操作信号記憶手段に順次記憶させる操作信号蓄積制御手段と、経過時間判定手段により待機時間に達したと判定された後、操作信号記憶手段に記憶された操作信号を読み込み、受信装置に順次送信する信号制御手段とを備えることにある。
【０００９】
上記目的を解決するため、本発明に係るリモートコントロール装置の第２の特徴は、経過時間判定手段が外部から待機時間の設定操作を受けたら、この設定された待機時間を記憶し、この記憶した待機時間を用いて判定を行うことにある。
【発明の効果】
【００１０】
本発明に係るリモートコントロール装置によれば、受信装置の種類に依存することなく、受信装置が起動中である場合に受け付けた操作信号により制御させることができる。
【発明を実施するための最良の形態】
【００１１】
以下、本発明を実施するための最良の形態について図面を参照して説明する。本実施形態では、デジタル放送受信装置を制御するための操作信号を送信するリモートコントロール装置を例に挙げて説明する。
【００１２】
＜第１の実施形態＞
図１は、第１の実施形態であるリモートコントロール装置の構成を示したブロック図である。
【００１３】
図１において、リモートコントロール装置１は、操作部１１と、マイコン１２と、経過時間判定部１３と、記憶部１４と、送信部１５とを備える。
【００１４】
操作部１１は、利用者の操作により操作信号又は電源投入信号等を生成し、マイコン１２へ送信する。
【００１５】
マイコン１２は、その機能上、操作信号蓄積制御手段１２ａと、信号制御手段１２ｂとを有する。
【００１６】
マイコン１２の操作信号蓄積制御手段１２ａは、デジタル放送受信装置に電源を投入させるための電源投入信号を受信したときから経過時間判定手段１３により生成された待機時間終了信号を受信したときまでの間に、受信した操作信号を操作信号記憶手段１４ａに記憶させる。
【００１７】
信号制御手段１２ｂは、経過時間判定部１３により生成された待機時間終了信号を受信した後、操作信号記憶手段１４ａに記憶された操作信号を読み込み、デジタル放送受信装置に送信する。
【００１８】
経過時間判定手段１３は、デジタル放送受信装置に電源を投入させるための電源投入信号を受信したときからの経過時間を計測し、この計測した経過時間が予め定めた待機時間に達したか否かを判定し、待機時間に達したと判定したときに待機時間終了信号を生成する。
【００１９】
記憶部１４は、メモリやハードディスクで構成されており、操作信号を記憶する操作信号記憶手段１４ａを備える。
【００２０】
≪作用≫
次に、第１の実施形態であるリモートコントロール装置１の作用について図面を参照して説明する。
【００２１】
図２は、第１の実施形態であるリモートコントロール装置１の処理を示したシーケンス図である。
【００２２】
まず、第１の実施形態であるリモートコントロール装置１の操作部１１は、利用者により、起動ボタンが押されると、デジタル放送受信装置２に電源を投入させるための電源投入信号を生成し、生成した電源投入信号をマイコン１２へ送信する（ステップＳ０１）。
【００２３】
次に、マイコン１２は、操作部１１から受信した電源投入信号に基づいて、電源投入コマンドを生成し、送信部１５へ送信する。そして、送信部１５は、電源投入コマンドをデジタル放送受信装置２が受信可能な信号形態に変換した後、デジタル放送受信装置２へ送信する（ステップＳ０２）。これにより、デジタル放送受信装置２は起動操作を開始する。
【００２４】
そして、マイコン１２は、電源投入信号の送信と同時に、経過時間判定部１３にタイマー動作を開始させる経過時間計測信号を送信し（ステップＳ０３）、経過時間計測信号を受信した経過時間判定部１３は、タイマー動作を開始する（ステップＳ０４）。
【００２５】
次に、利用者により、例えば、チャンネルを選択するチャンネル選択ボタンが押されると、デジタル放送受信装置２にチャンネルを選択させるためのチャンネル選択信号を生成し、生成したチャンネル選択信号をマイコン１２へ送信する（ステップＳ０５）。
【００２６】
チャンネル選択信号を受信したマイコン１２は、経過時間判定部１３へ経過時間が予め定めた待機時間に達したか否かを問い合わせる（ステップＳ０６）。
【００２７】
具体的には、マイコン１２が、経過時間判定部１３へ経過時間が予め定めた待機時間に達したか否かの判定結果を送信要求する判定結果要求信号を送信し、判定結果要求信号を受信した経過時間判定部１３が、経過時間が待機時間に達したか否かを判定し、この判定結果をマイコン１２へ送信する。
【００２８】
ここで、待機時間は、長く設定しすぎるとデジタル放送受信装置２が起動しているにもかかわらず、操作信号を受信できず、利用者の操作に対する応答に遅延が生じる。また、短かく設定しすぎると、デジタル放送受信装置２が起動していないにもかかわらず、操作信号を送信してしまい、送信した操作信号が破棄されるので、利用者の操作が無駄になる。そのため、例えば数秒から十数秒といったように、予め提供者等が実測に基づいた適性な値を予め算出し、提供者や利用者等が予め適正な値を設定しておく必要がある。
【００２９】
そして、マイコン１２の操作信号蓄積制御手段１２ａは、経過時間判定部１３から経過時間が予め定めた待機時間に達していないことを示す判定結果を受信した場合には、記憶部１４の操作信号記憶手段１４ａにステップＳ０５において受信したチャンネル選択信号を記憶させる（ステップＳ０７）。
【００３０】
なお、ステップＳ０６において、経過時間判定部１３から経過時間が予め定めた待機時間に達していることを示す判定結果を受信した場合には、図示しないが、マイコン１２の信号制御手段１２ｂは、受信したチャンネル選択信号を送信部１５へ送信する。
【００３１】
次に、経過時間判定部１３は、経過時間が予め定めた待機時間に達したとき、経過時間が予め定めた待機時間に達したことを示す待機時間終了信号をマイコン１２へ送信する（ステップＳ０８）。
【００３２】
そして、待機時間終了信号を受信したマイコン１２の信号制御手段１２ｂは、ステップＳ０７において記憶部１４の操作信号記憶手段１４ａに記憶させたチャンネル選択信号を記憶部１４の操作信号記憶手段１４ａから読み出す（ステップＳ０９）。
【００３３】
次に、マイコン１２の信号制御手段１２ｂは、記憶部１４の操作信号記憶手段１４ａから読み出したチャンネル選択信号に基づいて、チャンネル選択コマンドを生成し、送信部１５へ送信する（ステップＳ１０）。そして、送信部１５は、チャンネル選択コマンドをデジタル放送受信装置２が受信可能な信号形態に変換した後、デジタル放送受信装置２へ送信する（ステップＳ１１）。これにより、デジタル放送受信装置２はチャンネル選択コマンドで選択されたチャンネルに出力を切り替える。
【００３４】
なお、第１の実施形態であるリモートコントロール装置１では、ステップＳ０５において、１つのチャンネル選択信号を受信しているが、複数の操作信号を受信してもよい。この場合においても同様に、マイコン１２が、タイマー動作中に受信した操作信号を記憶部１４の操作信号記憶手段１４ａに記憶させる。そして、マイコン１２は、ステップＳ０８で待機時間終了信号を受信したときに、記憶部１４の操作信号記憶手段１４ａに記憶させた順番（ＦＩＦＯ）で、記憶部１４の操作信号記憶手段１４ａから読み出し、送信部１５へ送信する。
【００３５】
また、第１の実施形態であるリモートコントロール装置１では、ステップＳ１１において、送信部１５から１回のみ操作信号を送信しているが、デジタル放送受信装置２が確実に操作信号を受信するように、複数回操作信号を送信するようにしてもよい。
【００３６】
なお、ここで複数回送信する操作信号とは、複数回送ることで動作が変更しないもの（例えばチャンネル指定コマンドや、映像入力指定切替コマンドなど）であり、ボリューム変更コマンドやチャンネル上下切替コマンドなどのように、操作信号を送信するごとにシーケンシャルに操作が変更される操作信号は複数回送信することはない。
【００３７】
このように、デジタル放送受信装置２が起動中である場合に操作信号を受け付けた場合においても、記憶部１４の操作信号記憶手段１４ａに操作信号を記憶させ、デジタル放送受信装置２の起動が完了した時点で、記憶部１４の操作信号記憶手段１４ａに記憶させた操作信号を送信するので、受け付けた操作信号によって、確実にデジタル放送受信装置２を制御することができる。
【００３８】
また、操作信号の送信側であるリモートコントロール装置１が操作信号を記憶するので、デジタル放送受信装置２の機種が変更された場合においても、変更されたデジタル放送受信装置に適用することができる。
【００３９】
＜第２の実施形態＞
次に、第２の実施形態であるリモートコントロール装置１ａについて図面を参照して説明する。
【００４０】
図３は、第２の実施形態であるリモートコントロール装置１ａの構成を示したブロック図である。
【００４１】
図３に示すように、第２の実施形態であるリモートコントロール装置１ａは、第１の実施形態であるリモートコントロール装置１の構成に加え、待機時間を記憶する待機時間記憶手段１４ｂを更に備える。
【００４２】
また、経過時間判定手段１３は、外部から待機時間の設定操作を受けたら、この設定された待機時間を待機時間記憶手段１４ｂに記憶し、この記憶した待機時間を用いて、計測した経過時間が待機時間に達したか否かの判定を行う機能を有する。
【００４３】
≪作用≫
次に、第２の実施形態であるリモートコントロール装置１ａの作用について図面を参照して説明する。
【００４４】
図４は、第２の実施形態であるリモートコントロール装置１ａの処理を示したシーケンス図である。
【００４５】
まず、第２の実施形態であるリモートコントロール装置１ａの操作部１１は、利用者により起動ボタンが押されると、デジタル放送受信装置２に電源を投入させるための電源投入信号を生成し、生成した電源投入信号をマイコン１２へ送信する（ステップＳ０１）。
【００４６】
次に、マイコン１２は、操作部１１から受信した電源投入信号に基づいて、電源投入コマンドを生成し、送信部１５へ送信する。そして、送信部１５は、電源投入コマンドをデジタル放送受信装置２が受信可能な信号形態に変換した後、デジタル放送受信装置２へ送信する（ステップＳ０２）。これにより、デジタル放送受信装置２は起動操作を開始する。
【００４７】
そして、マイコン１２は、電源投入信号の送信と同時に、経過時間判定部１３にタイマー動作を開始させる経過時間計測信号を送信し（ステップＳ０３）、経過時間計測信号を受信した経過時間判定部１３は、タイマー動作を開始する（ステップＳ０４）。
【００４８】
次に、マイコン１２は、タイマー通知の送信をキャンセルし、待機時間を設定するための待機時間設定要求信号を受信すると（ステップＳ１２）、経過時間判定部１３へ待機時間設定要求信号を送信する（ステップＳ１３）。
【００４９】
次に、利用者により、例えば、チャンネルを選択するチャンネル選択ボタンが押されると、操作部１１は、デジタル放送受信装置２にチャンネルを選択させるためのチャンネル選択信号を生成し、生成したチャンネル選択信号をマイコン１２へ送信する（ステップＳ１４）。このとき利用者は、デジタル放送受信装置２が起動完了した時点で、チャンネルを選択するチャンネル選択ボタンを押すことにより、待機時間を最短に設定することができる。
【００５０】
次に、マイコン１２は、受信したチャンネル選択信号を経過時間判定部１３へ送信する（ステップＳ１５）。
【００５１】
そして、チャンネル選択信号を受信した経過時間判定部１３は、マイコン１２が電源投入信号を送信したとき、即ち経過時間計測信号を受信したときからチャンネル選択信号を受信したときまでの時間を待機時間として記憶部１４の待機時間記憶手段１４ｂに記憶させる（ステップＳ１７）。
【００５２】
次に、マイコン１２の信号制御手段１２ｂは、ステップＳ１４において受信したチャンネル選択信号に基づいて、チャンネル選択コマンドを生成し、送信部１５へ送信する（ステップＳ１８）。そして、送信部１５は、チャンネル選択コマンドをデジタル放送受信装置２が受信可能な信号形態に変換した後、デジタル放送受信装置２へ送信する（ステップＳ１９）。これにより、デジタル放送受信装置２はチャンネル選択コマンドで選択されたチャンネルに出力を切り替える。
【００５３】
このようにして、第２の実施形態であるリモートコントロール装置１ａは、利用者による操作信号に基づいて待機時間を設定し、設定した後は設定した待機時間を用いて、待機時間終了信号を生成する。
【００５４】
具体的には、経過時間判定部１３が、ステップＳ１７において待機時間記憶手段１４ｂにより記憶された待機時間を読み出し、計測した経過時間が読み出した待機時間に達したときに待機時間終了信号を生成し、マイコン１２へ送信する。
【００５５】
このように、利用者の入力操作に基づいて待機時間を設定するので、デジタル放送受信装置のメーカや機種に依存することなく、より適切な待機時間を設定することができ、これにより、デジタル放送受信装置２が起動後直ぐに操作信号を受け付けることができる。
【図面の簡単な説明】
【００５６】
【図１】第１の実施形態であるリモートコントロール装置の構成を示した構成図である。
【図２】第１の実施形態であるリモートコントロール装置の処理を示したシーケンス図である。
【図３】第２の実施形態であるリモートコントロール装置の構成を示した構成図である。
【図４】第２の実施形態であるリモートコントロール装置の処理を示したシーケンス図である。
【符号の説明】
【００５７】
１，１ａ…リモートコントロール装置
２…デジタル放送受信装置
１１…操作部
１２…マイコン
１２ａ…操作信号蓄積制御手段
１２ｂ…信号制御手段
１３…経過時間判定部（経過時間判定手段）
１４…記憶部
１４ａ…操作信号記憶手段
１４ｂ…待機時間記憶手段
１５…送信部
【図１】
2008245059.tif 000003
【図２】
2008245059.tif 000004
【図３】
2008245059.tif 000005
【図４】
2008245059.tif 000006